(57)【要約】【課題】ベールが反転復帰する際、反転復帰機構の作動部材がベール支持部材の嵌合穴から外れることのない魚釣用スピニングリールを提供する。【解決手段】本発明に係る魚釣用スピニングリールは、ロータの支持アームに内に、ベール支持部材を釣糸放出位置と釣糸巻き取り位置との間で反転可能に振り分け保持するベール反転機構を有する。ベール反転機構は、支持アーム内に支持され、端部が屈曲されてベール支持部材に形成された嵌合穴２２に嵌合すると共に、付勢部材２０によって付勢される棒状の作動部材１８を備えており、作動部材１８は、嵌合穴２２と対向する側に平面部２８ａを具備しており、平面部２８ａをベール支持部材９と対向する支持アーム３ａの内面３ｂに当接させて、ベール支持部材９の反転復帰時に作動部材１８の軸回りの回転を防止する。【選択図】図７
2011223964.tif 000002
【特許請求の範囲】
【請求項１】
ハンドルの巻き取り回転操作によって連動回転するロータを備え、前記ロータの支持アームに、ベールを装着したベール支持部材を回動可能に支持すると共に、前記支持アーム内に、前記ベール支持部材を釣糸放出位置と釣糸巻き取り位置との間で反転可能に振り分け保持するベール反転機構を設けた魚釣用スピニングリールにおいて、
前記ベール反転機構は、前記支持アーム内に支持され、端部が屈曲されて前記ベール支持部材に形成された嵌合穴に嵌合すると共に、付勢部材によって付勢される棒状の作動部材を備えており、
前記作動部材は、前記嵌合穴と対向する側に平面部を具備しており、前記平面部を前記ベール支持部材と対向する支持アームの対向面に当接させて、前記ベール支持部材の反転復帰時に前記作動部材の軸回りの回転を防止したことを特徴とする魚釣用スピニングリール。
【請求項２】
前記平面部は、前記作動部材に装着される回転防止部材に形成されていることを特徴とする請求項１に記載の魚釣用スピニングリール。
【請求項３】
前記回転防止部材は、断面コの字形状で、前記作動部材の端部に形成される屈曲部分を支える凹部を有する板材で形成されていることを特徴とする請求項２に記載の魚釣用スピニングリール。
【請求項４】
前記回転防止部材に前記付勢部材を係合させたことを特徴とする請求項２又は３に記載の魚釣用スピニングリール。
【発明の詳細な説明】
【技術分野】
【０００１】
本発明は、魚釣用スピニングリールに関し、詳細には、ベール反転機構に特徴を有する魚釣用スピニングリールに関する。
【背景技術】
【０００２】
一般的に、魚釣用スピニングリールは、ハンドルの巻き取り回転操作によって、連動回転するロータ及び前後動するスプールを備えた構造となっており、前記ロータには、スプールの周りを回転する一対の支持アームが取り付けられている。これら一対の支持アームの前部には、ベールを装着したベール支持部材が回動可能に支持されると共に、一方のベール支持部材には、釣糸案内部が装着されている。
【０００３】
前記ベール支持部材は、ベール反転機構によって、前記一対の支持アームに対して釣糸巻き取り位置と釣糸放出位置との間で振り分け保持されており、前記ベール反転機構は、例えば、特許文献１に開示されているように、振り分け保持を果たす付勢バネによって付勢される作動部材（ロッド）を備えている。この作動部材は、一方の支持アーム内に中央部分が支持されて回動可能となっており、先端側を折り曲げて屈曲部を形成し、この屈曲部をベール支持部材の嵌合穴に嵌合させている。
【先行技術文献】
【特許文献】
【０００４】
【特許文献１】特開平１１−８９４８５号
【発明の概要】
【発明が解決しようとする課題】
【０００５】
しかし、上記した特許文献１に開示されている技術では、ベールが釣糸巻き取り位置に反転復帰する際、作動部材にねじれ負荷がかかり、作動部材が軸回りに回転して、先端側の屈曲部分がベール支持部材の嵌合穴から外れてしまう可能性がある。
【０００６】
本発明は、上記した問題に着目してなされたものであり、ベールが反転復帰する際、ベール反転機構の作動部材がベール支持部材の嵌合穴から外れることのない魚釣用スピニングリールを提供することを目的とする。
【課題を解決するための手段】
【０００７】
上記した目的を達成するために、本発明は、ハンドルの巻き取り回転操作によって連動回転するロータを備え、前記ロータの支持アームに、ベールを装着したベール支持部材を回動可能に支持すると共に、前記支持アーム内に、前記ベール支持部材を釣糸放出位置と釣糸巻き取り位置との間で反転可能に振り分け保持するベール反転機構を設けた魚釣用スピニングリールにおいて、前記ベール反転機構は、前記支持アーム内に支持され、端部が屈曲されて前記ベール支持部材に形成された嵌合穴に嵌合すると共に、付勢部材によって付勢される棒状の作動部材を備えており、前記作動部材は、前記嵌合穴と対向する側に平面部を具備しており、前記平面部を前記ベール支持部材と対向する支持アームの対向面に当接させて、前記ベール支持部材の反転復帰時に前記作動部材の軸回りの回転を防止したことを特徴とする。
【０００８】
上記した構成の魚釣用スピニングリールでは、ベール支持部材は、付勢部材によって付勢される作動部材によって、釣糸放出位置と釣糸巻き取り位置に振り分け保持される。前記作動部材は、ベール支持部材に形成された嵌合穴と対向する側に平面部を具備し、その平面部を前記ベール支持部材と対向する支持アームの対向面に当接させているため、前記ベール支持部材が反転復帰する際に、作動部材に対して軸回りに捩れる力が作用しても、前記当接関係によって作動部材の軸回りの回転が防止され、作動部材の端部の折り曲げ部分が前記嵌合穴から外れることはない。
【発明の効果】
【０００９】
本発明によれば、ベールが反転復帰する際、ベール反転機構の作動部材が、ベール支持部材の嵌合穴から外れることのない魚釣用スピニングリールが得られる。
【図面の簡単な説明】
【００１０】
【図１】本発明に係る魚釣用スピニングリールの第１の実施形態を示す図。
【図２】図１に示す魚釣用スピニングリールにおいて、ベール支持部材が釣糸巻き取り位置に振り分け保持された状態のベール反転機構部分を示す図。
【図３】図２のＡ−Ａ線に沿った断面図。
【図４】図１に示す魚釣用スピニングリールにおいて、ベール支持部材が釣糸放出位置に振り分け保持された状態のベール反転機構部分を示す図。
【図５】図４のＢ−Ｂ線に沿った断面図。
【図６】図２のＣ−Ｃ線に沿った断面図。
【図７】図６のＤ−Ｄ線に沿った断面図。
【図８】本発明の第２の実施形態を示す図であり、図６と同じ位置における構成を示す図。
【図９】図８のＥ−Ｅ線に沿った断面図。
【図１０】本発明の第３の実施形態を示す図であり、図６と同じ位置における構成を示す図。
【図１１】図１０のＦ−Ｆ線に沿った断面図。
【図１２】図１１のＧ−Ｇ線に沿った断面図。
【発明を実施するための形態】
【００１１】
図１は、本発明に係る魚釣用スピニングリールの第１の実施形態を示す図である。最初に、図１を参照して、魚釣用スピニングリールの全体構成について説明する。
【００１２】
魚釣用スピニングリール１は、釣竿に装着するための竿取付け部２ａが形成されたリール本体２と、リール本体前方に回転可能に配されたロータ３と、ロータ３の回転運動と同期して前後動可能に配されたスプール５とを備えている。前記リール本体２には、ハンドル６が回転可能に支持されており、ハンドル６を巻き取り操作することで、リール本体２内に配設された公知の駆動力伝達機構を介して前記ロータ３は回転駆動され、かつ公知のオシレーティング機構を介して前記スプール５は前後往復駆動される。
【００１３】
前記ロータ３には、略１８０°の間隔をおいて一対の支持アーム３ａが対向するように形成されており、夫々の前端部には、ベール８の基端部を取り付けたベール支持部材９が釣糸放出位置と釣糸巻き取り位置との間で反転可能に支持されている。この場合、ベール支持部材９は、後述するベール反転機構１５によって、釣糸放出位置と釣糸巻き取り位置に振り分け保持されるようになっている。なお、ベール８の一方の基端部は、ベール支持部材９に一体的に設けられた釣糸案内部９ａに取り付けられている。
【００１４】
上記した構成により、ハンドル６を巻き取り操作することで、ロータ３が回転駆動され、かつスプール５が前後動されるので、釣糸は、釣糸案内部９ａを介してスプール５に均等に巻回される。また、釣糸を放出する場合、ベール支持部材９（ベール８）を、図１に示す釣糸巻き取り位置から釣糸放出位置に反転操作して、釣糸を釣糸案内部９ａから外して釣竿を振り下ろすことで行なわれる。そして、釣糸を放出した後は、再び、ベール支持部材９（ベール８）を、図１に示す釣糸巻き取り位置に反転復帰させる。このとき、釣糸はベール８によってピックアップされ、釣糸案内部９ａに案内される。なお、釣糸放出位置にあるベール支持部材９は、後述するように、ハンドル６を巻き取り操作することで、釣糸巻き取り位置へ自動で反転復帰することが可能となっている。
【００１５】
次に、図２から図７を参照して、本実施形態のベール反転機構１５の構成について説明する。これらの図において、図２は、ベール支持部材が釣糸巻き取り位置に振り分け保持された状態のベール反転機構部分を示す図、図３は、図２のＡ−Ａ線に沿った断面図、図４は、ベール支持部材が釣糸放出位置に振り分け保持された状態のベール反転機構部分を示す図、図５は、図４のＢ−Ｂ線に沿った断面図、図６は、図２のＣ−Ｃ線に沿った断面図、そして、図７は、図６のＤ−Ｄ線に沿った断面図である。
【００１６】
ベール反転機構１５は、ロータ３の一方の支持アーム３ａ内に配設されており、本実施形態では、釣糸案内部９ａが設けられている側の支持アーム内に配設されている。この場合、支持アーム３ａの内面（対向面）３ｂは、カバー体３Ａを被着することで閉塞される（図２及び図４は、カバー体３Ａを外した状態を示している）。すなわち、ベール反転機構１５は、支持アームの内面３ｂとカバー体３Ａとの間の内部空間内に配設されている。
【００１７】
前記ベール支持部材９は、支持アーム３ａに対して、その基端部分を面接させて支軸１２によって回動可能に支持されると共に、後述するベール反転機構を構成するバネ（振り分けバネ）によって、釣糸放出位置と釣糸巻き取り位置に振り分け保持されている。前記支持アーム３ａの支軸１２の周囲には、円弧状の長穴３ｃが形成されており、ベール支持部材９を回動させた際、ベール支持部材９に突出形成された凸部９ｃが長穴３ｃ内を移動するようになっている。この場合、ベール支持部材９の凸部９ｃは、釣糸巻き取り位置と釣糸放出位置になったとき、それぞれ長穴３ｃの端面３ｄ及び端面３ｅに当て付いて回動が規制される（図２及び図４参照）。
【００１８】
前記ベール反転機構１５は、支持アーム３ａの略中心部分に支軸１６ａを中心として回動可能に支持された筒状の保持体１６と、保持体１６内に挿通されると共に、保持体と一体的に回動する棒状の作動部材１８と、作動部材１８を付勢する付勢部材２０とを備えている。この場合、付勢部材２０は、作動部材１８を囲繞するように配設されたコイルバネ（以下、バネ２０とする）によって構成されており、ベール支持部材９を、釣糸放出位置と釣糸巻き取り位置とに振り分け保持する機能を有する。なお、作動部材１８は、保持体１６を貫通するように配設されており、前記バネ２０は、一端が保持体１６の底部に当て付けられ、かつ、他端が後述する回転防止部材に当て付けられた状態で作動部材１８に係合している。
【００１９】
前記棒状の作動部材１８の一端部は、外側に折り曲げられており（折り曲げられた部分を屈曲部１８ａとする）、この部分は、ベール支持部材９の支軸１２の近傍に形成された嵌合穴２２に嵌合されている。この場合、作動部材１８は、支持アーム３ａの内面３ｂに沿って延出しており、その他端側は、リール本体側に向けて延出し、ベール支持部材９が釣糸巻き取り位置から釣糸放出位置に反転された際、その端部１８ｂが後述する反転部材に係合可能となっている。
【００２０】
また、前記作動部材１８は、前記嵌合穴２２と対向する側に平面部２８ａを具備しており、平面部２８ａをベール支持部材９と対向する支持アーム３ａの対向面（本実施形態では、前記支持アームの内面３ｂとされる）に当接させている。この場合、平面部２８ａについては、作動部材１８に対して軸方向から装着される別体の部材（以下、このような部材を回転防止部材と称する）２８によって構成することが可能である。すなわち、本実施形態では、棒状の作動部材１８の上端側に、例えばプレスによって凸状部１８ｃを一体成形しており、この部分に、所定の肉厚を有する板状に形成された回転防止部材２８を係止させている。なお、このような回転防止部材２８は、板材をプレス加工することで形成することが可能である。
【００２１】
前記回転防止部材２８には、支持アームの内面３ｂと当接（本実施形態では面接触されている）される前記平面部２８ａと、作動部材１８を挿通させる貫通孔２８ｂが形成されており、貫通孔２８ｂの内面には、凸状部１８ｃが係合可能な凹部２８ｃが形成されている。そして、これら作動部材１８と回転防止部材２８は、作動部材１８の屈曲部１８ａが嵌合穴２２に嵌合された状態で、図６及び図７に示す配置関係となるように構成されている。すなわち、この状態で、作動部材１８に、軸方向回りに捩れる力（Ｒ方向に作用する力）が作用しても、平面部２８ａと内面３ｂとの当接関係によって作動部材１８の回転が防止されることから、ベール支持部材９の反転復帰時において、作動部材１８が軸回りに回転することが防止される。
【００２２】
ここで、上記した「平面部」とは、ベール支持部材９の反転復帰時において、作動部材１８が支軸１６ａを中心として回動することにより、作動部材１８に捩れる力が作用しても、作動部材１８を軸回りに回転させないような当接関係が得られる構成になっていれば良い。すなわち、作動部材が円柱形状であり、内面３ｂに対して軸方向に沿って線接触するような構成では、作動部材は軸回りに回転してしまうが、嵌合穴２２と対向する側の対向面（表面部分）と面接触する平面部２８ａを設けたことで、このような軸回りの回転が防止される。また、平面部２８ａと内面３ｂとの当接関係については、図６に示すような平面同士の面接触以外にも、作動部材１８の軸回りの回転が防止されるのであれば、例えば、平面部として凹凸を有する形態であっても良い。
【００２３】
また、本実施形態では、図７に示すように、前記回転防止部材２８の裏面側にバネ２０の他端を当て付けることで、バネ２０を作動部材１８に保持させている。
【００２４】
上述したように、前記作動部材１８の端部１８ｂは、ベール支持部材９が釣糸巻き取り位置から釣糸放出位置に反転された際、反転部材３０に係合可能となっている。ここで、反転部材３０の構成について、図２から図５を参照して説明する。
【００２５】
図２及び図３に示すように、ロータ３の円筒部３ｄと支持アーム３ａとの間に形成されている接続部には、その下面側からビス３１を介して、反転部材３０がロータの回転軸と略直交する面内において回動可能に支持されている。この反転部材３０の側部には、支持アーム３ａの内部空間に位置するように、係合突部３０ａが上方側に向けて突出形成されており、ここに、ベール支持部材９の釣糸放出位置への反転動作に伴って回動する作動部材１８の端部１８ｂが係合するようになっている（図４及び図５参照）。また、反転部材３０には、ビス３１の周りに付勢バネ３４が配設されており、反転部材３０を、常時、ビス３１を中心として反時計回り方向（図３の矢印方向）に回転付勢している。
【００２６】
さらに、反転部材３０には、ビス３１を中心として回動した際、ロータの中心側に向けて入り込むキック部３０ｂが形成されている。このキック部３０ｂには、回転可能なローラ（ゴム等、弾性を有する部材で形成されることが好ましい）３２が支持されている。このローラ３２は、ベール支持部材９が釣糸放出位置へ反転駆動されると、前記作動部材１８の端部１８ｂが反転部材３０の係合突部３０ａに係合することで反転部材３０が駆動され、図３で示す位置から図５に示す位置に移動するようになっている。なお、ローラ３２は、ベール支持部材９が釣糸巻き取り位置にあるとき、支持アーム３ａ内の規制壁３ｆに当接し、反転部材３０の付勢バネ３４による回動を規制している。
【００２７】
一方、リール本体２の前面部には、反転部材３０が回動駆動された状態において、ロータ３が釣糸巻き取り方向に回転駆動された際、ローラ３２が当接可能となる位置に、反転用突部２ｃがロータ側に向けて突出形成されている。この反転用突部２ｃには、ロータ３が釣糸巻き取り方向（図５において矢印で示す反時計周り方向）に回転駆動された際、ロータ３と共に回転するローラ３２が当て付いて、反転部材３０を、付勢バネ３４の付勢力によって反転させるようにテーパ２ｄが形成されている。
【００２８】
次に、上記した構成の魚釣用スピニングリール（ベール反転機構）の作用について説明する。  
ベール支持部材９を、図１に示す釣糸巻き取り位置から釣糸放出位置に回動操作すると、図２及び図４に示すように、支持アーム３ａに形成された長穴３ｃに沿ってベール支持部材９の凸部９ｃが移動し、長穴３ｃの端面３ｅに当て付いて回動が規制される。そして、この位置（釣糸放出位置）は、前記作動部材１８を付勢するバネ２０の付勢力によって振り分け保持される。また、ベール支持部材９の回動操作によって、作動部材１８は、支軸１６ａを中心として回動され、その端部１８ｂが反転部材３０の係合突部３０ａに係合して、反転部材３０を、付勢バネ３４の付勢力に抗して、ビス３１を中心として時計回り方向に回動させる（図３及び図５に示すように、ローラ３２が反転用突部２ｃに当接可能な位置に移動する）。
【００２９】
そして、仕掛け投擲後、ハンドル６を巻き取り操作すると、ロータの反時計回り方向（図５の矢印方向）への回転によって、ローラ３２は、反転用突部２ｃによってキックされ、反転部材３０は、付勢バネ３４の付勢力によって、再び図２及び図３に示す釣糸巻き取り位置に戻される（反転復帰される）。また、このときベール支持部材９は、バネ２０のデッドポイントを超え、図２に示す釣糸巻き取り位置に反転復帰される。
【００３０】
前記ベール支持部材９が、釣糸放出位置から釣糸巻き取り位置に復帰する際、作動部材１８は、バネ２０の付勢力によって支軸１６ａを中心として回動することから、作動部材１８には、軸方向周りに捩れる力（図６のＲ方向の力）が作用する。この捩れる力は、作動部材１８の屈曲部１８ａを嵌合穴２２から外すように作用するが、前記回転防止部材２８の平面部２８ａが、支持アームの内面３ｂに当接していることで、屈曲部１８ａが嵌合穴２２から外れることが防止される。
【００３１】
また、上記した構成では、棒状の作動部材１８に対して、別体の回転防止部材２８を装着するため、安価な構成の作動部材に対して適用することが可能となる。すなわち、作動部材に平面部を一体形成する場合、その加工コストが高くなるが、上記した別体の回転防止部材２８を装着することで、一般的な作動部材１８を用いることが可能となり、コストの低減が図れる。なお、回転防止部材２８については、本実施形態のように、板状のプレス加工品とすることで、簡単に部品を製造することができ、よりコストの低減を図ることが可能となる。
【００３２】
さらに、本実施形態では、図７に示すように、回転防止部材２８の裏面側にバネ２０の他端を当て付けているため、作動部材部分の構成を簡略化することが可能となる。すなわち、従来では、作動部材１８に形成された凸状部１８ｃにワッシャを係止し、この部分にバネ２０を当て付けていたが、これをそのまま平面部２８ａを有する回転防止部材２８としたことで構成を簡略化することが可能となる。
【００３３】
次に、本発明の別の実施形態について説明する。  
図８及び図９は、本発明の第２の実施形態を示しており、図８は、図６と同じ位置における構成を示す図、図９は、図８のＥ−Ｅ線に沿った断面図である。なお、以下の実施形態では、前記実施形態と同一の構成については、同一の参照符号を付し、詳細な説明については省略する。
【００３４】
本実施形態では、上記したような機能を有する平面部３８ａを、作動部材１８に一体的に形成している。すなわち、作動部材１８を鋳造等によって形成することで、平板状の膨出部（回転防止部）３８を一体形成することが可能である。また、平板状の膨出部３８は、上記した実施形態と同様、その裏面部分において、バネ２０の一端を係合させている。
【００３５】
このような構成においても、作動部材１８の屈曲部１８ａが嵌合穴２２から外れることを防止することができる。なお、本実施形態においても、上記した実施形態と同様、凸状部１８ｃが形成されていない棒状の作動部材１８に対して、別体として形成された回転防止部（材）３８を圧入、カシメ、接着等によって作動部材１８に一体化しても良い。
【００３６】
図１０から図１２は、本発明の第３の実施形態を示しており、図１０は、図６と同じ位置における構成を示す図、図１１は、図１０のＦ−Ｆ線に沿った断面図、そして、図１２は、図１１のＧ−Ｇ線に沿った断面図である。
【００３７】
本実施形態では、上記したような機能を有する平面部４８ａを、作動部材１８に対して装着される回転防止部材４８に形成している。この場合、回転防止部材４８は、コの字型に形成されており、このような形状の回転防止部材は、薄板状の板材をプレス加工（打ち抜き、曲げ）することで形成することが可能である。また、回転防止部材４８の底面４８ｂには、作動部材１８が貫通する開口４８ｃが形成されており、平面部４８ａと対向する壁部４８ｄには、作動部材の１８の屈曲部１８ａを支える凹部４８ｅが形成されている。さらに、このような回転防止部材４８は、上記した実施形態と同様、その裏面部分において、バネ２０の一端を係合させている。
【００３８】
このような形状の回転防止部材４８によれば、圧延材を用いることができるので、鋳造材と比較して強く、薄く形成することが可能であり、安価で軽量化することが可能となる。また、作動部材１８の屈曲部１８ａを支える凹部４８ｅを形成したことで、図１０及び図１２に示す態様において、作動部材１８が矢印方向へ倒れることも防止できるため、より確実に作動部材１８の動作を安定させて、屈曲部１８ａが嵌合穴２２から外れることを防止することができる。
【００３９】
以上、本発明の実施形態について説明したが、本発明は、上記した構成に限定されることはなく、種々変形することが可能である。
【００４０】
本発明は、作動部材１８に、嵌合穴２２と対向する表面部分（対向面）に当て付いて、作動部材が軸回りに回転することを防止する平面部を設けた構成であれば良く、ベール反転機構の構成については、上記した構成に限定されることは無く種々変形することが可能である。また、回転防止部材（作動部材と一体化される回転防止部）の形状についても、上記した作用が得られれば、適宜変形することが可能である。
【符号の説明】
【００４１】
１  魚釣用スピニングリール
３  ロータ
３ａ  支持アーム
３ｂ  内面（対向面）
９  ベール支持部材
１５  ベール反転機構
１８  作動部材
１８ａ  屈曲部
２２  嵌合穴
２８，３８，４８  回転防止部（材）
２８ａ，３８ａ，４８ａ  平面部
【図１】
2011223964.tif 000003
【図２】
2011223964.tif 000004
【図３】
2011223964.tif 000005
【図４】
2011223964.tif 000006
【図５】
2011223964.tif 000007
【図６】
2011223964.tif 000008
【図７】
2011223964.tif 000009
【図８】
2011223964.tif 000010
【図９】
2011223964.tif 000011
【図１０】
2011223964.tif 000012
【図１１】
2011223964.tif 000013
【図１２】
2011223964.tif 000014